(57)【要約】 【課題】種類の異なる用紙をともに後処理する場合でも、不具合のない後処理を可能とする。 【解決手段】画像形成装置２００から排出される用紙を含む複数の用紙を纏める後処理を行うステイプラ１２０と、ステイプラ１２０まで用紙を搬送するための搬送経路１７０ａと、搬送経路１７０ａ上に設けられた用紙を一時待機させる大径ドラム１９０及び搬送ローラ対１４０ｃ及び１４０ｄを用いた待機部と、待機部の一時待機動作を制御する制御部１１とを備えた、後処理装置１０。【選択図】図１
2008050162.tif 000002
【特許請求の範囲】
【請求項１】
画像形成装置から排出される用紙を含む複数の用紙を纏める後処理を行う後処理実行部と、  
前記後処理実行部まで前記用紙を搬送するための搬送経路と、  
前記搬送経路上に設けられた、前記後処理実行部に搬送される前記用紙を一時待機させる複数の待機部と、  
前記待機部の一時待機の動作を制御する制御部とを備えた、後処理装置。  
【請求項２】
前記搬送経路は、複数の搬入元を介して前記複数の用紙が搬入されるものであり、  
前記制御部は、前記搬送経路に搬入される前記複数の用紙の搬入元を検出する搬入元検出部を有し、前記搬入元の検出に基づき、前記待機部毎に前記一時待機動作を制御する、請求項１に記載の後処理装置。
【請求項３】
前記複数の待機部は、
前記複数の搬入元の一である第１の搬入元から搬入された第１の用紙を一時待機させる第１の待機部と、第１の搬入元と異なる第２の搬入元から搬入された第２の用紙を一時待機させる第２の待機部とを有し、
前記制御部は、
前記第２の待機部に前記第２の用紙を待機させた後、前記第１の待機部に所定枚数の前記第１の用紙を待機させ、所定のタイミングで前記第１の用紙と前記第２の用紙とを前記後処理実行部に搬送するよう、制御を行う、請求項１に記載の後処理装置。
【請求項４】
前記第１の待機部は、所定枚数の用紙を巻き付ける回転体を有し、
前記制御部は、前記第１の搬入元から搬送された第１の用紙を前記所定枚数だけ前記回転体に導く制御、又は前記回転体に巻き付けられた前記所定枚数の前記第１の用紙を前記後処理実行部側へ送出する制御を行う、請求項３に記載の後処理装置。
【請求項５】
前記第１の搬入元は、前記画像形成装置の用紙収納部である、請求項４に記載の後処理装置。
【請求項６】
前記第２の待機部は、前記搬送経路に設けられた搬送ローラを有し、
前記制御部は、前記待機動作として、前記搬送ローラを停止して前記搬送経路に導かれた前記第２の用紙を固定する制御を行う、又は固定した前記搬送ローラを回転させて、固定された前記第２の用紙を前記後処理実行部側へ送出する制御を行う、請求項３に記載の後処理装置。
【請求項７】
前記第２の搬入元は、画像形成装置から独立した搬入口、又は前記画像形成装置のスタックバイパス部である、請求項４に記載の後処理装置。
【請求項８】
画像形成装置から排出される用紙を含む複数の用紙を纏める後処理を行う後処理方法であって、
前記後処理の前に、前記後処理実行部まで前記用紙を搬送するための搬送経路上の複数の箇所で、前記後処理実行部に搬送される前記用紙を一時待機させる制御を行う工程を備えた、後処理方法。
【発明の詳細な説明】
【技術分野】
【０００１】
本発明は、複写機、プリンタ、ＦＡＸ等の画像形成装置により画像形成された用紙を処理する後処理装置等に関する。
【背景技術】
【０００２】
従来より、画像形成装置と組み合わせて用いる後処理装置がオフィス等で広く用いられている。後処理装置は、画像形成装置によって画像が形成された用紙複数枚を一単位としてステイプルで綴じ一部の冊子を作成するものである（例えば、特許文献１を参照）。
【０００３】
ここで、図４は、後処理装置の構成を示す概略断面図である。
【０００４】
図４に示すように、後処理装置１００は、画像形成装置２００から排出された用紙及びインサータ１１０から搬入された用紙を所定枚数積載すると、ステイプル打ち込みにより一部の冊子状に綴じるステイプラ１２０を備える。
【０００５】
又、後処理装置１００内においては、画像形成装置２００から排出された用紙の搬入口１３０及びインサータ１１０からステイプラ１２０までの間に、ステッピングモータ等の外部動力により回転する搬送ローラ対１４０ａ〜１４０ｅをはじめとする搬入ローラが設けられており、後処理装置１００に搬入された用紙はこれら搬送ローラ対１４０ａ〜１４０ｅの回転によってステイプラ１２０側へ導かれ、処理トレイ１５０上に積載される。
【０００６】
処理トレイ１５０上に冊子相当枚数の用紙が積載されると、ステイプラ１２０はステイプル打ち込みにより用紙を綴じ、冊子を完成する。完成した冊子は処理トレイ１５０から搬出トレイ１６０上に搬出される。なお、搬送される用紙のサイズに応じて、搬送ローラ対１４０ａ、１４０ｂ、１４０ｃ及び１４０ｄにより形成される第１の搬送経路１７０ａ（図中矢印線）と、搬送ローラ対１４０ａ及び１４０ｅにより形成される第２の搬送経路１７０ｂ（図中矢印線）とが形成されている。
【０００７】
上記のような後処理装置１００において、第１の搬送経路１７０ａから搬入される用紙を処理する場合、ステイプラ１２０がステイプル打ち込みを実行中に、画像形成装置２００から画像形成された用紙が更に処理トレイ１５０に搬入されてくる場合が生じる。これを防ぐために、ステイプル打ち込み中に搬入されてきた用紙を、第１の搬送経路１７０ａをなす搬送ローラ対１４０ｂの手前に設けられた大径ドラム１９０に巻き付けて一時待機させておき、処理トレイ１５０への用紙搬入が可能となるタイミングで、大径ドラム１９０から搬送ローラ対１４０ｂへ導き、次に搬送されてきた用紙を重ねて処理トレイ１５０に搬送するようにしている。なお、Ａ３、Ｂ４サイズの用紙を扱う場合は、第２の搬送経路１７０ｂを介して用紙は処理トレイ１５０に導入されるが、搬送間隔が広く時間的余裕があること、またドラム周が用紙長に対して不足すること等の理由から、大径ドラム１９０に用紙を巻き付ける動作は行わない。
【０００８】
これにより、画像形成装置２００の動作と後処理装置１００の動作とは同期し、後処理中に画像形成装置２００の動作を止める必要がなく、冊子の生産性の低下を防止することができる。
【特許文献１】特開平９−４８５４５号公報
【発明の開示】
【発明が解決しようとする課題】
【０００９】
近年、画像形成装置のカラー化が進むとともに、より見栄えのよい冊子を作成するため、その表紙に厚紙を使用することがある。厚紙は画像形成装置２００から搬入されることもあるが、主にインサータ１１０から適宜搬入される。
【００１０】
このような厚紙を、画像形成装置２００から搬入された画像掲載された用紙とともに後処理する場合、以下のような不具合があった。すなわち、上記に示す大径ドラム１９０に厚紙を巻きつけて待機させた場合、巻きつけにより厚紙がカールしてしまう。
【００１１】
このため、大径ドラム１９０から搬送ローラ対１４０ｂ側へ導入された後も、厚紙は腰をもった状態を保ちながら搬入経路１７０ａを移動する。このとき搬送中に搬送ローラ対１４０ｃ、１４０ｄ等のニップに厚紙が衝突して紙詰まりを起こす、又は処理トレイ１５０上での積載状態の不良、さらにはステイプルはずれ等の不具合が発生しやすくなってしまう。
【００１２】
本発明は、このような課題に鑑みてなされたものであり、種類の異なる用紙をともに後処理する場合でも、不具合のない後処理が可能な後処理装置等を提供することを目的とする。
【課題を解決するための手段】
【００１３】
上記の目的を達成するために、第１の本発明は、画像形成装置から排出される用紙を含む複数の用紙を纏める後処理を行う後処理実行部と、
前記後処理実行部まで前記用紙を搬送するための搬送経路と、
前記搬送経路上に設けられた、前記後処理実行部に搬送される前記用紙を一時待機させる複数の待機部と、
前記待機部の一時待機の動作を制御する制御部とを備えた、後処理装置である。
【００１４】
又、第２の本発明は、前記搬送経路は、複数の搬入元を介して前記複数の用紙が搬入されるものであり、
前記制御部は、前記搬送経路に搬入される前記複数の用紙の搬入元を検出する搬入元検出部を有し、前記搬入元の検出に基づき、前記待機部毎に前記一時待機動作を制御する、第１の本発明の後処理装置である。
【００１５】
又、第３の本発明は、前記複数の待機部は、
前記複数の搬入元の一である第１の搬入元から搬入された第１の用紙を一時待機させる第１の待機部と、第１の搬入元と異なる第２の搬入元から搬入された第２の用紙を一時待機させる第２の待機部とを有し、
前記制御部は、
前記第２の待機部に前記第２の用紙を待機させた後、前記第１の待機部に所定枚数の前記第１の用紙を待機させ、所定のタイミングで前記第１の用紙と前記第２の用紙とを前記後処理実行部に搬送するよう、制御を行う、第１の本発明の後処理装置である。
【００１６】
又、第４の本発明は、前記第１の待機部は、所定枚数の用紙を巻き付ける回転体を有し、
前記制御部は、前記第１の搬入元から搬送された第１の用紙を前記所定枚数だけ前記回転体に導く制御、又は前記回転体に巻き付けられた前記所定枚数の前記第１の用紙を前記後処理実行部側へ送出する制御を行う、第３の本発明の後処理装置である。
【００１７】
又、第５の本発明は、前記第１の搬入元は、前記画像形成装置の用紙収納部である、第４の本発明の後処理装置である。
【００１８】
又、第６の本発明は、前記第２の待機部は、前記搬送経路に設けられた搬送ローラを有し、 
前記制御部は、前記待機動作として、前記搬送ローラを停止して前記搬送経路に導かれた前記第２の用紙を固定する制御を行う、又は固定した前記搬送ローラを回転させて、固定された前記第２の用紙を前記後処理実行部側へ送出する制御を行う、第３の本発明の後処理装置である。
【００１９】
又、第７の本発明は、前記第２の搬入元は、画像形成装置から独立した搬入口、又は前記画像形成装置のスタックバイパス部である、第４の本発明の後処理装置である。
【００２０】
又、第８の本発明は、画像形成装置から排出される用紙を含む複数の用紙を纏める後処理を行う後処理方法であって、
前記後処理の前に、前記後処理実行部まで前記用紙を搬送するための搬送経路上の複数の箇所で、前記後処理実行部に搬送される前記用紙を一時待機させる制御を行う工程を備えた、後処理方法である。
【発明の効果】
【００２１】
以上のような本発明によれば、種類の異なる用紙をともに後処理する場合でも、不具合のない後処理が可能、という効果を有する。
【発明を実施するための最良の形態】
【００２２】
以下、本発明の実施の形態を、図面を参照して説明する。
（実施の形態）
図１は、本発明の実施の形態の後処理装置１０の構成を示す概略断面図であり、図１において図４と同一または相当部には、同一符号を付し、詳細な説明は省略する。
【００２３】
本実施の形態の後処理装置１０は、従来例同様、Ａ４サイズ以下の用紙の搬送経路として、搬送ローラ対１４０ａ〜１４０ｄにより構成される第１の搬送経路１７０ａと、Ａ３、Ｂ４サイズ用の搬送経路として、搬送ローラ１４０ａ、１４０ｅ及び第２の搬送経路１７０ｂとが設けられた構成において、搬送ローラ対１４０ｃ及び１４０ｄと、大径ドラム１９０との回転を制御する制御部１１を備えたことを特徴とする。制御部１１は、搬送ローラ対１４０ｃ及び１４０ｄの自転のＯＮ／ＯＦＦ、及び大径ドラム１９０への用紙の導入及び排出を制御する手段であり、第１の搬送経路１７０ａに搬入されてくる用紙の搬入元である、インサータ１１０、画像形成装置２００内の連続給紙用の用紙収納部（図示省略）、及びスタックバイパス部（図示省略）の状態を検出する搬入元検出部１１ａを有する。搬入元検出部１１ａは、搬入口１３０に搬入された用紙がこれら搬入元のいずれかから搬入されたものかを検出し、制御部１１はこの検出結果を利用して、上記の制御を行う。
【００２４】
ここで図２に制御部１１の構成例を示す。制御部１１において、ＣＰＵ１１ｂは搬送ローラ対１４０ｃ及び１４０ｄの自転のＯＮ／ＯＦＦ、及び大径ドラム１９０への用紙の導入及び排出を制御する制御本体であり、１１ｄは各搬送ローラ対、大径ドラム１９０、及び処理トレイ１５０における用紙の挟持、巻き付け又は載置状態等の検出情報を取得する状態検出部１１ｄであり、ＣＰＵ１１ｂはこれら各部の情報に基づき制御を行う。なお、１１ｃは上記検出した状態を記憶するメモリである。
【００２５】
制御部１１は、後処理装置１０がＡ４，Ｂ５サイズ（ＵＳ仕様はレターサイズ）の用紙の処理を行う場合であって、処理トレイ１５０の積載状態を検知して、冊子２０Ａが積載状態であると判断し、かつ、ステイプラ１２０がステイプル打ち込み動作中に第１の搬送経路１７０ａに厚紙が搬入されてきた場合は、厚紙が搬送ローラ対１４０ｃ及び１４０ｄにより挟持される位置に来たときに、搬送ローラ対１４０ｃ及び１４０ｄの自転をＯＦＦにする制御を行う。
【００２６】
これにより、厚紙の搬送は当該挟持位置で停止し、厚紙は第１の搬送経路１７０ａ内に待機状態に置かれることになる。搬送ローラ対１４０ｃ及び１４０ｄによって形成される第１の搬送経路１７０ａの一部分は実質的に直線経路であり、この位置で固定された厚紙はロールされない。腰をもつことなく、その後搬送動作が再開されても処理トレイ１５０にて積載時の整合不良を生ずることはなく、待機位置以降の位置に配置された搬送ローラ対のニップに衝突することもない。
【００２７】
なお、後処理装置１０及び画像形成装置２００の構成に基づく具体例は以下のようになる。すなわち、後処理装置１０がインサータ１１０を装着した構成であって、厚紙がインサータ１１０から、画像形成された用紙が画像形成装置２００の用紙収納部から導入される場合は、制御部１１は、インサータ１１０から挿入された厚紙を対象として搬送ローラ対１４０ｃ及び１４０ｄの上記制御を行い、画像形成装置２００の用紙収納部から搬入された用紙を対象として大径ドラム１９０の上記制御を行う。
【００２８】
また、後処理装置１０がインサータ１１０を設けていない状態で、画像形成装置２００の用紙収納部から用紙が、スタックバイパス部から厚紙がそれぞれ導入される場合は、制御部１１は、スタックバイパス部から挿入された厚紙を対象として搬送ローラ対１４０ｃ及び１４０ｄの上記制御を行い、用紙収納部から搬入された用紙を対象として大径ドラム１９０の上記制御を行う。したがって、大径ドラム１９０による用紙の巻き付けは、画像形成装置２００の用紙収納部を経て排出された用紙のみを対象として実行されることとなる。
【００２９】
このように、本実施の形態の後処理装置１０は、大径ドラム１９０による待機部と、搬送ローラ対１４０ｃ及び１４０ｄにより形成される待機部の２つの待機部を備えることとなり、制御部１１がこれら待機部の動作を、搬入された用紙の搬入元に応じて制御することにより、画像形成装置２００の動作に対応した、スムーズな後処理を実現する。
【００３０】
次に、図３を参照して、上述した搬送ローラ対１４０ｃ及び１４０ｄの制御による待機状態を含めた、このような後処理装置１０の動作を説明するとともに、これにより、本発明の後処理方法について説明を行う。なお、上述のように、以下の動作は、Ａ４，Ｂ５サイズ（ＵＳ仕様はレターサイズ）の用紙を対象として行うものである。
【００３１】
厚紙である表裏２つの表紙２１ａ、２１ｂを含む複数の用紙２２（１）…２２（ｎ）（ｎ：自然数）からなる冊子２０Ａ、２０Ｂ、…を画像形成装置２００及び後処理装置１０によって連続作成する場合を考える。この場合は、インサータ１１０から表紙２１ａが導入され、更に画像形成装置が用紙２２（１）…２２（ｎ）を排出し、裏表紙２１ｂがインサータ１１０から導入されて、最初の冊子２０Ａのステイプル打ち込みをステイプラ１２０が実行している間に、次の冊子２０Ｂの表紙３１ａがインサータ１１０から第１の搬送経路１７０ａに導入されることになる。なお、厚紙である表紙２１ａ、２１ｂは本発明の第２の用紙の、又用紙２２（１）…２２（ｎ）は本発明の第１の用紙の一例である。 
【００３２】
冊子２０Ａを処理トレイ１５０から搬出トレイ１６０に搬出するまで、表紙３１ａは処理トレイ１５０に導入されてはならないが、制御部１１は、搬入元検出部１１ａがインサータ１１０から表紙３１ａが搬入されたことを検知して、表紙３１ａが搬送ローラ対１４０ｃ及び１４０ｄに導入された時点で、搬送ローラ対１４０ｃ及び１４０ｄの自転をＯＦＦにする制御を行う。これにより表紙３１ａは搬送ローラ対１４０ｃ及び１４０ｄに挟持されて、搬送経路１７０ａ内に待機することとなる。
【００３３】
一方、上記待機動作中にも、画像形成装置２００は画像形成動作を続けるので、冊子２０Ｂを構成する用紙３１（１）、３１（２）、…が、逐次排出され、後処理装置１０に搬入される。制御部１１においては、排出された用紙３１（１）以降の用紙が、画像形成装置２００の用紙収納部を搬入元としていることを搬入元検出部１１ａが検知し、大径ドラム１９０に導き、ドラムに巻き取らせることにより一時待機させる。
【００３４】
ステイプラ１２０による冊子２０Ａのステイプル打ち込みが完了するまで、大径ドラム１９０は搬入される用紙３１（１）、３１（２）…を連続して巻き取り続ける。本実施の形態の場合、用紙３１（２）の巻き取りが完了した時点で、冊子２０Ａのステイプル打ち込みは完了し、処理トレイ１５０から冊子２０Ａの搬出が実行されるものとする。
【００３５】
制御部１１は、処理トレイ１５０から冊子２０Ａが搬出されたことを検知すると、搬送ローラ対１４０ｃ及び１４０ｄの自転をＯＮに復帰させ、表紙３１ａを処理トレイ１５０に導く。次いで、大径ドラム１９０に巻き取られた用紙３１（１）、３１（２）と、次に搬送路から来る用紙３１（３）の３枚を重ねて搬送ローラ対１４０ｂ側へ導き、表紙３１ａの上にかぶさるよう、処理トレイ１５０に積載する。
【００３６】
以後、最後の裏表紙３１ｂが処理トレイ１５０に積載されるまで、制御部１１は通常の動作を行う。すなわち、大径ドラム１９０は停止し、搬入ローラ１４０ａ〜１４０ｄは大径ドラム１９０を介さず直接処理トレイ１５０に用紙を導くよう連続して自転する。
【００３７】
冊子２０Ｂの最後の用紙である裏表紙３１ｂがインサータ１１０から搬入され、用紙３１（ｎ）に続いて処理トレイ１５０に搬入されると、制御部１１は、インサータ１１０から更に搬入された冊子２０Ｂの次の冊子の表紙を搬送ローラ対１４０ｃ及び１４０ｄの間に待機させ、以下、上述と同様の待機動作を実行する。
【００３８】
以上のように、本実施の形態によれば、第１の搬送経路１７０ａを構成する搬送ローラ対１４０ｃ、１４０ｄの自転を一時停止することにより第１の搬送経路１７０ａ内に厚紙の待機部を設け、外形ドラム１９０と合わせて合計２箇所にて用紙の待機を行わせるようにしたので、画像形成装置２００の用紙搬出に合わせて後処理を行う際に厚紙のロールを防ぎ、不具合のない後処理を実現することが可能となる。
【００３９】
なお、上記の構成において、ステイプラ１２０は本発明の後処理実行部に相当し、大径ドラム１９０は本発明の回転体に相当し、大径ドラム１９０へ用紙を導く、又は大径ドラム１９０から搬送ローラ対１４０ｂへ用紙を導く内部構成は、本発明の第１の待機部に相当し、第１の搬送経路１７０ａとともに本発明の搬送経路を構成する。また、搬送ローラ対１４０ｃ及び１４０ｄは、本発明の搬送ローラに相当し、搬送経路１７０ａ内の搬送ローラ対１４０ｃ及び１４０ｄによって用紙の搬送が行われる部分は、本発明の第２の待機部に相当する。又、制御部１１は、本発明の制御部に相当する。また搬入元検出部１１ａは本発明の搬入元検出部に相当し、インサータ１１０は、画像形成装置から独立した搬入口に相当し、画像形成装置２００の用紙収納部は本発明の用紙収納部に、画像形成装置２００のスタックバイパス部は本発明のスタックバイパス部に、それぞれ相当する。
【００４０】
しかしながら、本発明の構成は、上記に限定されるものではない。例えば、上記の説明においては、第２の待機部は、搬送ローラ対１４０ｃ及び１４０ｄの両方に用紙を挟持させることによって形成するものであるとしたが、搬送ローラ対１４０ｃ又は１４０ｄのいずれか一方にのみ挟持させる制御を行っても良い。搬送ローラ対１４０ｃのみをおこなって挟持させた場合、第２の待機部を、搬送経路１７０ａのより上流側に設けることができる。又、搬送ローラ対１４０ｄのみを行って挟持させた場合は、搬送経路１７０ａのより下流側に設けることができる。又、搬送ローラ対１４０ｂ及び１４０ｃの動作を制御することにより、さらに搬送経路１７０ａのより上流側に設けるようにしてもよい。要するに、本発明の第２の待機部は、搬送経路上の任意の地点に設けるようにして良い。これらにより、処理トレイ１５０におけるステイプラ１２０のステイプル打ち込み動作の時間や、ステイプラ１２０の配置に応じた制御することができ、または搬送ローラ対１４０ｃ又は１４０ｄの一方が停止できなくなった場合でも、正常な動作を維持することができる。
【００４１】
又、制御部１１は、状態検出部１１ｄが搬送ローラ対１４０ｄの近傍に設けられた、用紙詰まり検出用のセンサ１２から情報を取得して、これに基づき、搬送ローラ対１４０ｃに用紙が搬送されたことを直接検出したことに基づいて、制御を行うようにしてもよい。万が一処理トレイ１５０に積載された用紙が残っていたとしても、厚紙が処理トレイ１５０に誤って導かれることを防ぐ効果がある。なお、搬入元検出部１１ａが取得する情報は、インサータ１１０、画像形成装置の用紙収納部、スタックバイパス部にそれぞれ設けた検知用のスイッチ、センサ等を設けるようにすればよい。また、状態検出部１１ｄが取得する情報は、処理トレイ１５０に印加される重量の検知に基づくにしてもよいし、処理トレイ１５０のトレイ表面、又は底面等に用紙の接触をこれら検出手段は公知のセンサ、スイッチ等を用いればよく、詳細は省略する。
【００４２】
又、上記の構成においては、制御部１１は、インサータ１１０又は画像形成装置２００のスタックバイパス部から搬入された厚紙を搬送ローラ対１４０ｃ、１４０ｄによる待機位置に一時待機させ、画像形成装置２００の用紙収納部から搬入された用紙を大径ドラム１９０に一時待機させるものとして説明を行ったが、本発明の第１の待機部、第２の待機部は、これに限定されるものではない。大径ドラム１９０を第２の待機部として、又、搬送ローラ対１４０ｃ、１４０ｄを第１の待機部として用いるようにしてもよい。要する、本発明の待機部は、その一時待機の具体的な方法によって限定されるものではなく、後処理装置の構成、用途に応じて、第１の待機部、第２の待機部を割り当てるようにしてもよい。また、待機部を３つ以上設ける構成としてもよい。
【００４３】
又、上記の構成においては、後処理装置１０は、画像形成装置２００に併置され、又インサータ１１０、搬出トレイ１６０を備えた筐体を備えた構成であるとして説明を行ったが、本発明の後処理装置は大径ドラム１９０、処理トレイ１５０、ステイプラ１２０及び搬送ローラ対１４０ｂ〜１４０ｅを備えたユニット部分として、筐体から取り外し可能な内部機構のみとして実現してもよい。又、待機部を有さない第２の搬出経路１７０ｂは省略した構成としても良い。
【００４４】
又、上記の説明においては、搬送ローラ対１４０ｃ及び１４０ｄの制御による、本発明の第２の用紙としての用紙の一時待機は、腰をもつことが不具合の原因となる厚紙の利用を対象とするものとしたが、本発明の第２の用紙は、厚紙に限定するものではなく、表面にコートをした光沢紙等、巻き付けによってその状態に不具合が生ずるような用紙に対して適用するようにしてもよい。また、大径ドラム１９０が巻き付けできる枚数を超えた用紙を一時待機させる為に用いてもよい。
【００４５】
又、本発明の後処理実行部は、ステイプル打ち込みを行うステイプラ１２０として説明を行ったが、本発明の後処理は、複数の用紙を纏めるものであれば、その具体的な手段によって限定されるものではない。ステイプルやピンと言った別部材を用いた手段の他、用紙同士を圧着して纏めるような手段であってもよい。また、物理的に用紙を纏める代わりに、マーキングや番号等を用紙に施して、複数の用紙を所定単位で識別可能に纏めるようなものであってもよい。
【００４６】
又、制御部１１の制御を行うプログラムを、ＲＡＭ等に書き込み可能なファームウェア等としてとして実現しても良い。この場合、制御部上で当該プログラムを実行させることにより、従来の後処理装置を本発明の後処理装置として実現することが可能となる。
又、そのプログラムの一利用形態は、コンピュータにより読み取り可能な記録媒体に記録され、コンピュータと協働して動作する態様であっても良い。
【００４７】
又、そのプログラムの一利用形態は、伝送媒体中を伝送し、コンピュータにより読みとられ、コンピュータと協働して動作する態様であっても良い。
【００４８】
又、記録媒体としては、ＲＯＭ等も含まれる。
【００４９】
又、上述したコンピュータとは、ＣＰＵ等の純然たるハードウェアに限らず、ファームウェアや、ＯＳ、更に周辺機器を含むものであっても良い。
【産業上の利用可能性】
【００５０】
本発明は、種類の異なる用紙をともに後処理する場合でも、不具合のない後処理が可能、という効果を有し、画像形成装置と組み合わせて用いる後処理装置等として有用である。
【図面の簡単な説明】
【００５１】
【図１】本発明の実施の形態の後処理装置の構成を示す概略断面図である。
【図２】本発明の実施の形態の後処理装置の制御部の構成例を示す図である。
【図３】本発明の実施の形態の後処理装置の動作を説明するための図である。
【図４】従来の技術による後処理装置の構成を示す概略断面図である。
【符号の説明】
【００５２】
１０  後処理装置 
１１  制御部 
１１ａ  搬入元検出部 
１１ｂ  ＣＰＵ 
１１ｃ  メモリ 
１１ｄ  状態検出部 
１２  紙詰まり検出センサ 
１１０  インサータ 
１２０  ステイプラ 
１３０  搬入口 
１４０ａ〜１４０ｅ  搬送ローラ対 
１５０  処理トレイ 
１６０  搬出トレイ 
１７０ａ  第１の搬送経路 
１７０ｂ  第２の搬送経路 
１９０  大径ドラム 
２００  画像形成装置 
２１０  搬出口
【図１】
2008050162.tif 000003
【図２】
2008050162.tif 000004
【図３】
2008050162.tif 000005
【図４】
2008050162.tif 000006